(57)【要約】【課題】既設の便器が利用できない災害時や便器がない場所で、断水している洋式タイプの水洗便器や便器に代用可能なゴミ箱や飲料ケース等の仮台座を利用し、排泄する場合を想定して、便器や仮台座に簡易便座板としての設置が容易にでき、排泄物を処理し易くする一方で、その排泄する袋を簡易便座板に簡単に装着脱着し易くした、災害時に備える備蓄の嵩が小さく、緊急時用の簡易便座板として汎用性が有る様にする。【解決手段】中央に開口部をもつ簡易便座板１を既設の洋式タイプの便器もしくは便器に代用可能なゴミ箱や飲料ケース等の仮台座３上部に設置し、その便座板に排泄袋２を、上下複数の固定された汎用式の袋留め切込みポイント４と、左右の袋留め機能（Ｇスリット）を持った切り込みスリット５へ装着し、中央に開口部をもつ便座板１に、排泄袋２の開口部周縁を広げたまま均一して取り付けられるように構成した排泄袋の装着手段との組み合わせからなる緊急時用の汎用式簡易便座板トイレセットである。【選択図】図１
2006334337.tif 000002
【特許請求の範囲】
【請求項１】
中央に開口部を具え、洋式タイプの水洗便器の便座や便器の代用となる台座上部に簡単に設置や重ね合わされる周面部を具え、排泄物を収納する取っ手とミミをもつ形状の袋を排泄袋とし、周面部に袋留めを目的とした複数の切り込みポイントと開口部内側周縁に複数の袋留め切り込みＧスリットを具え、装着する袋の大きさに合わせて取っ手部分を、複数の汎用式袋留め切り込みポイントで組み合わせを選び、袋ミミ部分を内側周縁部切り込みＧスリットに差し込み、中央の開口部周縁に沿って袋開口部周縁が内縁円周に開口のまま固定でき、また使用後は袋を簡単に取り外せる手段とを組み合わせた緊急時汎用式簡易便座板トイレセット。
【請求項２】
前記便座板トイレセットは前記開口部の内側周縁に複数の袋留め切り込みＧスリットを設け、装着する排泄袋のミミ形状部分を切り込みＧスリットに挿入し易い切っ掛け溝部を備えるとともに、そこに一定の角度をもたせた切り込みＧスリットの折り返し角部を備え、袋ミミ部分を切り込みＧスリットに差し込みながらミミの表面一部を折り返し魚部に押し付けて刺し込み、排泄袋を固定できる形状の袋留め機能の切込みＧスリットを特長とする請求項１の緊急時汎用式簡易便座板トイレセット。
【発明の詳細な説明】
【産業上の利用分野】
【０００１】この発明は災害や事故等で断水して使用できなくなった洋式タイプの水洗便器や既設のトイレの便器が利用できない場所での便器に代用可能なゴミ箱や飲料ケース等の仮台座上部に載せて使用できるようにする汎用式簡易便座板トイレセットに関し、使用する排泄袋を便座板に簡単に装着脱着出来る手段を備えた広く震災時や緊急時に簡易便座板トイレセットとして汎用に活用できる事を特徴とするものである。
【背景技術】
【０００２】災害時や断水時に排泄用袋を活用した緊急トイレには、例えば特開平０８−２３８１９８号広報のように既設する洋式便器に組み合わせたものがある。移動式可能な簡易トイレには例えば特開平１６−２４２９７５号広報や特開平１４−２００００６号広報のように簡易型の代用便器と代用便座に排泄袋を組み合わせたものがある。
【発明が解決しようとする課題】
【０００３】上記の災害や事故による断水時の緊急簡易トイレセットは既設する洋式便器や特別な排泄袋の組み合わせからなり、便器がある建物への侵入禁止や既設トイレと便器が崩壊の場合は使用出来ない場合もある。また移動式トイレセットは代用便器と代用便座と専用排泄袋によるセットで、大震災用などの大規模な防災備品としては備蓄の際、費用と嵩が膨大で多くのスペースや保管場所を必要とする。
【０００４】また排泄毎に使い捨てトイレセットを廃棄すれば大量のゴミとなり、その処分に多くの費用と労力が必要となる。そしてまたトイレセットを反復使用した場合も衛生面や、更に１つのトイレセットの排泄物が大量となり、その処分が一層、保管と処理が問題となる。またさらに排泄袋の強化や多くの防臭剤と凝固剤等の添加が必要で費用が嵩む欠点がある。
【０００５】一方、災害時では既設トイレや洋式便器が崩壊した場合は、使い捨てトイレセットその物が利用できず、大震災等の緊急時には用をたさない恐れがある。また既設トイレの便器が無い地域にあっても同じく緊急簡易トイレセットは用をたさない。また断水のみで既設トイレの便器が使える場合でも、和式トイレでは使いづらい。また一方の移動式や携帯可能な簡易トイレは、行政や企業など災害対策用の防災備蓄品と考えた場合、その保管スペースが嵩み、尚且つ必要な個数を確保するには膨大な費用が掛かる。上記の諸点を考えて備蓄のスペースが最小で、断水した既設の洋式タイプの便器に容易に設置可能で、和式トイレ便器や既設のトイレが壊れて使用出来ない場所でも仮台座を用いて簡単に排泄の始末ができ、使用後の排泄物の保管処理をし易くする事及び安価で提供する事がこの種の緊急簡易トイレセットにおける解決すべき課題と言える。
【課題を解決するための手段】
【０００６】そこで本発明では、洋式タイプの水洗便器や、便器に代用可能なゴミ箱や飲料ケース等の仮台座上部や便座に重ね合わされる便座部と中央に開口部を具え、取っ手とミミの形状をもつ排泄袋を、便座板周面部に設けた複数の袋留め切り込みポイントと開口部の内側周縁に設けた複数の袋留め切り込みＧスリットに簡単に装着し、便座板開口部の内側周縁に沿って袋の開口部周縁を内面に固定して、使用前と使用後に袋を便座板に取り付け、取り外しが容易に出来る装着脱着手段との組み合わせた緊急時の汎用式簡易便座板トイレセットを提供するものである。
【０００７】本発明トイレセットにおいて、前記便座板の周面部に固定された複数の袋留め切り込みポイントと切り込みＧスリットを備えたものは、便座板開口部への排泄袋が開口したままの状態で固定するので用をたす際に排泄物の漏れを防げる。また便座板の周面部に設けた複数の袋留め切り込みポイントを備える事により、その都度利用する排泄袋の大きさに合わせ装着ポイントの組み合わせを選ぶ事で袋の大きさに汎用に対応する事が得られる。さらに排泄袋の取っ手部分を複数点の袋留め切込みポイントに吊すため排泄物の重量で下方に袋は落下せず装着が持続する。
【０００８】そして、前記中央に開口部を具えた便座板は、開口部の内側周縁に複数の袋留め切り込みＧスリットも備えており、Ｇスリットには排泄袋のミミ部分を装着する際に、挿入し易い切っ掛け溝部分を設け、一定の角度をもたせた切込みＧスリッドの折り返し角部を施すことにより排泄袋ミミ部分をＧスリットに差し込みながら袋留め角部に突き刺し、排泄物の重量で内側下方へ袋開口部が閉じようとするのに対し排泄袋の開口部の固定維持の補助をする。
【０００９】また、前記便座板は、災害時に断水しても使用できる既設の洋式タイプの水洗便器への設置のみならず、便器に代用可能なゴミ箱や飲料ケース等の仮台座にも利用でき、取っ手とミミをもつ形状の排泄袋と組み合わせると、それを防災備蓄品とした場合に保管時の嵩が少なく簡易便座板は極めて安価に製作でき、１枚で複数の人が使用が可能である。
【発明の作用】
【００１０】本発明トイレセットは、使用に際して取っ手とミミの形状をもつ排泄袋を便座板に装着し、既設の洋式タイプの水洗便器の便座に重ね合わせるか、便器として代用可能なゴミ箱や飲料ケース等の仮台座上部に設置し、必要に応じて防臭剤や凝固剤を排泄袋の中に事前に入れ、個別に使用後は排泄袋を切り込みポイントと切り込みＧスリットから外し排泄物が入った袋の取っ手部分を束ね、防臭を図り所定の場所に保管処理するように用いる。また使用した排泄袋以外は便座板を再利用し、ライフラインが復旧するまでの間、簡単に繰り返し活用する事ができる。
【発明の実施例】
【００１１】以下に本発明の実施例を図面について説明する。図において１は中央に開口部を具えた便座板で便座周面部２は取っ手とミミをもつ形状の排泄袋３は便器の台座に代用可能なゴミ箱や飲料ケース等の仮台座部４は便座板の便座周面部に複数設けた袋の取って部分を吊るす袋留め機能の切り込みポイント５は便座板開口部の内側周縁に複数設けた袋のミミ部分の袋留め機能の切り込みＧスリットである。２の排泄袋の取っ手部分数箇所を４の切り込みポイントに、袋の大きさに合わせて袋留めの組み合わせを選び装着する。また排泄袋２のミミ部分は複数の切り込みＧスリット５に装着し、袋２の開口部が便座板１の開口部内側周縁との隙間をつくらないように実施例１のように袋２を装着する。
【００１２】
【００１３】図１、３に示す実施例１において、便座板１を仮台座３の上部に設置し、排泄袋２は図２に示すように排泄袋として活用する袋２の取っ手部分（ｈ）とミミ部分（ｉ）の形状をもつ袋を便座板１に設けた、組み合わせが選べる複数の袋留め切込みポイント（ａ）（ｂ）（ａ′）（ｂ′）と袋留め切り込みＧスリッド（ｃ）（ｃ′）に装着し排泄袋２の周縁開口部（ｇ）を便座板１の開口部周縁（ｆ）と隙間が出ないように固定させる。
【００１４】図３の（ａ）（ａ′）と（ｂ）（ｂ′）は便座板１の周面部に設けた複数の袋留め切り込みポイントでその組み合わせ数箇所を選べる事を示す。また開口部の内側周縁に設けた複数の袋留め切込みＧスリッド（ｃ）（ｃ′）で袋２のミミ部分（ｉ）を袋留めする事を示す。複数に袋留め機能があるように切込みが便座板１に施されている。使用前は袋２を簡単に装着でき、排泄使用後の袋２は、簡単に便座板１の切込みポイント４と切り込みＧスリット５から取り外せ所定の処分場保管処理場に置く。
【００１５】図４の示す袋留め切り込みＧスリットとは、排泄袋２のミミ部分（ｉ）を装着し易くする手段として、挿入切っ掛け溝部（ｄ）がある。切り込みＧスリット（ｃ）（ｃ′）には一定の折り返し角度（ｅ）をもたせた袋留め切り込みＧスリット（ｅ）を備える事により、実施例２の様にその鋭角な形状の切り込みＧスリットに刺し込み、角部に袋ミミ部分（ｉ）の表面一部を突き刺し、それにより袋留め固定機能を有する事が可能となる。使用後の袋２を取り外す時はその逆の作業で簡単に排泄袋２が脱着できる。
【００１６】図５の実施例３は、既設する洋式タイプの水洗便器の便座に重ね合わせ、設置した想定の場合で、使用に際しては実施例１と同様に排泄袋２を便座板１に装着し使用する。安全を有すれば便座板１の形状や素材には拘らずに、便座板の周面部に他の形状方式（ｊ）（ｊ′）（ｋ）（ｋ′）でも袋留め切り込みポイントを設ける事が出来ることを示す。尚、本発明の緊急時汎用式簡易便座板トイレセットは既存洋式便器６が無い場合や壊れて使用出来ない場合、また３の便器代用可能なゴミ箱や飲料ケース等でなくても、便座板１が上部に設置できる仮台座周縁と排泄袋２の容量を収納する中央の空間を持つ、安全で人が座っても強度が保てる台座状の物が有ればそれにも使用できることは云うまでもない。
【発明の効果】
【００１７】以上のように本発明の汎用式簡易便座板トイレセットの使用前は単に板状の状態で、他の簡易トイレと比べ、極めて嵩が小さく、多くの防災備蓄品としての個数でも保管場所が最小限度に収まる。さらにこの便座板は１ヶで複数人の再利用が可能である。また、既設の洋式タイプの水洗便器が使用出来ない場合やトイレの無い場所での緊急時でも、便器として代用可能な仮台座があればそれにも汎用使用が可能で、極めて設置と排泄袋の装着が容易にでき、袋の大きさに合わせて取り付け対応も汎用式で、便座板に簡単に装着脱着できる。使用した後は始末も個別にプライベートを尊重し易い。取っ手とミミの形状をもつ排泄袋は平時での生活で、買い物時に無料で手に入り易く、その袋（通称レジ袋）をストックして置けば、緊急時にはリサイクルとして活用でき、その上無駄が少ない。
【図面の簡単な説明】
【００１８】
【図１】は本発明の実施例１を示す分解斜視図
【図２】は排泄袋として使用する取って部分とミミをもつ形状の袋全体図（通称レジ袋）
【図３】は便座板の複数の切り込みポイントと切り込みＧスリットの位置関係の状態図
【図４】は切り込みスリッドの切っ掛け溝部と折り返しの角度を持たせた実施例２を示す拡大図
【図５】は洋式タイプの便器に設置した実施例３を示し、便座板の形状や切り込みポイントの位置や切り込み方法に汎用性がある事を示した状態の斜視図
【符号の説明】
【００１９】１  中央に開口部を具える便座板便座部
２  取っ手とミミの形状をもつ排泄袋（通称レジ袋）
３  便器台座に代用可能なゴミ箱や飲料水ケースの仮台座部
４  排泄袋の取っ手部分を吊るすフック機能の特徴をもった複数切り込みポイント
５  排泄袋のミミ部分を留めるストッパー機能の特徴をもった複数切り込みＧスリット
６  既設にある洋式タイプの水洗便器の台座部
ａ．上部切り込みポイント▲１▼
ａ′．上部切り込みポイント▲２▼
ｂ．下部切り込みポイント▲１▼
ｂ′．下部切り込みポイント▲２▼
ｃ．左右切り込みＧスリット▲１▼
ｃ′．左右切り込みＧスリット▲２▼
ｄ．排泄袋ミミ部分引き込み切っ掛け溝部（Ａ横タイプ・Ｂ縦タイプ）
ｅ．切り込みＧスリットの袋留め角部（Ａ横タイプ・Ｂ縦タイプ）
ｆ．便座板１の開口部内側周縁部
ｇ．排泄袋開口の円周部
ｈ．排泄袋取っ手部分
ｉ．排泄袋ミミ部分
ｊ．ｊ′．他の形状の便座板左右切り込みポイント
ｋ．ｋ′．他の形状の便座板左右切り込みポイント
【図１】
2006334337.tif 000003
【図２】
2006334337.tif 000004
【図３】
2006334337.tif 000005
【図４】
2006334337.tif 000006
【図５】
2006334337.tif 000007